(57)【要約】【課題】不使用時には折り畳んで保管し、陽や雨などを遮蔽するときはホースに流体を圧入して形成する遮蔽体及びこの遮蔽体を用いた遮蔽システム。【解決手段】少なくとも一辺が直線又は曲線、或いはその両方の形状を持つシートに、直線状のホースを前記シートの外周縁の一部または全周に屈曲させて取り付け、該ホースの両端の開口を閉鎖して所定の箇所に流体導入口を設け、該流体導入口から流体が圧入されたときに、該流体の圧力により順次膨らみ直線になる力が働いて前記シートが展張して、前記所定の形状のシートが形成される。【選択図】図１
2014180494.tif 000002
【特許請求の範囲】
【請求項１】
少なくとも一辺が直線又は曲線、或いはその両方の形状を持つシートに、直線状のホースを前記シートの外周縁の一部または全周に屈曲させて取り付け、
該ホースの両端の開口を閉鎖して所定の箇所に流体導入口を設け、該流体導入口から流体が圧入されたときに、該流体の圧力により順次膨らみ直線になる力が働いて前記シートが展張して、前記所定の形状のシートが形成されることを特徴とする遮蔽体。
【請求項２】
少なくとも一辺が直線又は曲線、或いはその両方の形状を持つシートの外周縁の一部または全周を内側に折り込んで中空の連通した袋体を形成し、該袋体の中空に両端の開口を閉鎖して所定の箇所に流体導入口を設けた前記直線状のホースを挿入して、該ホースに流体が圧入されたときに、該流体の圧力により順次膨らみ直線になる力が働いて前記シートが展張して、前記所定の形状のシートが形成されることを特徴とする遮蔽体。
【請求項３】
前記ホースは、該ホースの所定の箇所に設けられた流体導入口に直接、又は、流体導入口に流体導入チューブを介して、切換え弁が設置してあることを特徴とする請求項１又は２のいずれかに記載の遮蔽体。
【請求項４】
請求項１〜３のいずれかの遮蔽体を用い、これらのホースに取り付けられている前記切換え弁を介して、流体を圧入する流体圧入装置、又は流体圧入・抜取り装置が連結されていることを特徴とする遮蔽システム。
【請求項５】
前記ホースの前記所定の箇所に設けられた流体導入口の付近、又は前記流体導入口と前記流体圧入装置との間に、圧力計が連結されていることを特徴とする請求項４に記載の遮蔽システム。
【発明の詳細な説明】
【技術分野】
【０００１】
本発明は、遮蔽体及びこの遮蔽体を用いた遮蔽システムに係り、
さらに詳しくは、少なくとも一辺が直線又は曲線、或いはその両方の形状を持つ所定の形状のシートに、直線状のホースを前記シートの外周縁の一部または全周に屈曲させて取り付け、
該ホースの両端の開口を閉鎖して所定の箇所に流体導入口を設け、該流体導入口から流体が圧入されたときに、該流体の圧力により順次膨らみ直線になる力が働いて前記シートが展張して、前記所定の形状のシートが形成されることを特徴とする遮蔽体に関するものである。
【背景技術】
【０００２】
一般的な雨傘の構造材には強度の面から金属が使用されているが、傘の先端(露先)が人に当たると危険なこと、また廃棄するときにはビニールと金属を分別する必要があること等から、この解決手段として空気傘が数多く提案されている。(例えば、特許文献１、２参照) 
【０００３】
また、日除けや雨除けなどに用いられる大型の簡易テントで、金属製の部材重量を軽量化し、製造コストの上昇を抑制する目的で、概ね円形状に形成されたシートの外径方向に張力を付与する複数本の弾性棒状部材を挿入し、シートの中心部に設けられた吊り具を介してシートを立木の枝などに吊るす構造のものがある。（特許文献３参照）。
【先行技術文献】
【特許文献】
【０００４】
【特許文献１】登録実用新案第３０７２６６１号公報（図１参照）
【特許文献２】実開昭５４−１６８９６３号公報（図１参照）
【特許文献３】特開２０１１−１８４８９０号公報（図１参照）
【発明の概要】
【発明が解決しようとする課題】
【０００５】
上記実用新案文献１のエア式傘によれば、基本構造の親骨や布などがチューブ状の熱可塑性プラスチックフイルムで形成されている。前記実用新案文献１の請求項１では単に「エアの出し入れにより傘本体が開傘した形態を保持する」の記載となっており傘の構成方法は細部まで分からないが、請求項２の文中に「当該チューブ状の中空部にエアを圧入することにより骨組が形成されて、・・・」との記述があり、また、明細書０００９に傘は少なくともチューブの骨が組合されて構成されている、と理解しており、チューブによる骨組みでは製造が煩雑で強度的に弱い問題がある。
【０００６】
上記特許文献２には、骨なし空気入り傘が記載されている。
図７を参照して、この特許文献に記載された骨なし空気入り傘を説明する。この骨なし空気入り傘は、傘膜の縁端に空気栓を有する環状空気袋を取り付
けた傘体と、その下部にそれを支える傘柄袋と、傘体の周縁部に複数の張糸の一端を取り付け、他の一端を傘柄袋の傘体より下部の位置に取り付けた空気入り傘で、環状空気袋を張糸で支える構造となっている。
傘膜の縁端に取り付けられた空気袋について特段の特徴等の記述が無いが、
一般的な空気袋は圧入する空気圧があまり高くないことから、張力は弱く、そのため空気袋の径を太くするなどの必要があり、また、傘柄袋と結ぶ張糸は傘を展張するときに、手に絡むなど取り扱いが煩雑な問題がある。
【０００７】
上記特許文献３の簡易テントによれば、基本構造は伸縮性を有する織物布地のシート、ガラス繊維強化プラスチックの弾性棒状部材やアルミニウム等の連結具で構成されているが、弾性棒状部材を棒状部材挿通部に挿入するために弾性棒状部材を分割しており、取り扱いが面倒である。
【０００８】
そこで、本発明はこのような従来技術が潜在的に抱えている課題を解決するためになされたもので、雨傘の親骨に相当する複雑な形状のチューブでは、チューブの接続箇所が多く、エア漏れを起こしやすいのでエア圧を高めることが困難であることから、チューブの骨組みを不要にする方法の考案と、傘体を張糸で支えることを不要とする方法の考案と、簡易テントにおいては弾性棒状部材を棒状部材挿通部に挿入するなどの煩雑さや、更なる軽量化を図ることで、利便性や利用箇所の拡大を図ることを目的とするものである。
【課題を解決するための手段】
【０００９】
上記目的を達成するために、本発明の第１の態様の遮蔽体は、
少なくとも一辺が直線又は曲線、或いはその両方の形状を持つシートに、直線状のホースを前記シートの外周縁の一部または全周に屈曲させて取り付け、
該ホースの両端の開口を閉鎖して所定の箇所に流体導入口を設け、該流体導入口から流体が圧入されたときに、該流体の圧力により順次膨らみ直線になる力が働いて前記シートが展張して、前記所定の形状のシートが形成されることを特徴とする。
【００１０】
本発明の第２の態様の遮蔽体は、少なくとも一辺が直線又は曲線、或いはその両方の形状を持つシートの外周縁の一部または全周を内側に折り込んで中空の連通した袋体を形成し、該袋体の中空に両端の開口を閉鎖して所定の箇所に流体導入口を設けた前記直線状のホースを挿入して、該ホースに流体が圧入されたときに、該流体の圧力により順次膨らみ直線になる力が働いて前記シートが展張して、前記所定の形状のシートが形成されることを特徴とする。
【００１１】
本発明の第３の態様の遮蔽体は、前記ホースは、該ホースの所定の箇所に設けられた流体導入口に直接、又は流体導入口に流体導入チューブを介して、切換え弁が設置してあることを特徴とする。
【００１２】
本発明の第４の態様の前記遮蔽体を用いた遮蔽システムは、前記態様の第１〜３のいずれかの遮蔽体を用い、これらのホースに取り付けられている前記切換え弁を介して、流体を圧入する流体圧入装置、又は流体圧入・抜取り装置が連結されていることを特徴とする。
【００１３】
本発明の第５の態様の前記遮蔽体を用いた遮蔽システムは、前記ホースの前記所定の箇所に設けられた流体導入口の付近、又は前記流体導入口と前記流体圧入装置等との間に、圧力計が連結されていることを特徴とする。
【発明の効果】
【００１４】
本発明に係る遮蔽システムによれば、少なくとも一辺が直線又は曲線、或いはその両方の形状を持つ所定の形状のシートに、直線状のホースを前記シートの外周縁の一部または全周に屈曲させて取り付け、
該ホースの両端の開口を閉鎖して所定の箇所に流体導入口を設け、該流体導入口から流体が圧入されたときに、該流体の圧力により順次膨らみ直線になる力が働いて前記シートが展張して、前記所定の形状のシートが形成される遮蔽体を使用するので、
携帯傘に利用したときは、外径方向へ強い張力が生じることで、従来の親骨の機能をシートが代替する働きをすることから、親骨に相当するチューブの骨組みは不要となる。
【００１５】
更には、親骨だけでなく従来は傘の中央に設けていた親骨を支えるための中骨についても必要としなく、該中骨に代えシートを支える柄を設けるだけで済み、究極の簡単な構造の携帯傘となり、ついてはコストの低減を図ることが可能となる。
また、形状も円形や半円形型などいろいろな形状の製作が出来る。
【００１６】
また、本発明に係る遮蔽システムによれば、大型の簡易テントにおいても同様、直線状のホースへの圧入力を強くすることで外径方向へ強い張力が生じ、前記ホースが弾性棒状部材を代替でき、これにより、従来の弾性棒状部材を棒状部材挿通部に挿入・連結するなどの煩雑さを不要にでき、この結果、本願発明においては更なる大型化、軽量化、利便性により利用の拡大が図れる。
【図面の簡単な説明】
【００１７】
【図１】図１は遮蔽体の代表的なもので、図１aは遮蔽体の平面図、図１bはa―a’で切断した断面図である。
【図２】図２は前記遮蔽体及びこの遮蔽体を用いた遮蔽システムの代表的なシステムの概略斜視図である。
【図３】図３は遮蔽体に設けられた直線状ホースの形態の断面図で、図３aは該ホースをシート外周に直接取り付けたもの、図３bは該ホースをシート外周に設けられた連通した袋体の中に挿入したものである。
【図４】図４は半円形の遮蔽体に柄を取り付けた雨傘で、図４aはこの雨傘を展張した状態の平面図、図４bはb―b’で切断したときの断面図である。
【図５】図５はシートが略円形の大型の簡易テントで、図５aは該テントを展張した平面図、図５bは側面図である。
【図６】図６は一部直線を含む楕円形のシートに２本の直線状のホースを使用した自動車用日除けテントで、図６aはその平面図、図６bは側面図である。
【図７】図7は先行事例２の簡易テント図(図１・２)である。
【発明を実施するための最良の形態】
【００１８】
以下、図面を参照して本発明の実施形態を説明する。但し、以下に示す実施形態は本発明の技術思想を具体化するための遮蔽システムを例示するものであって、本発明をこれらに特定することを意図するものではなく、特許請求の範囲に含まれるその他の実施形態のものにも等しく適応し得るものである。
【００１９】
図１を参照して、本発明の実施形態に係る遮蔽体及びこの遮蔽体を用いた遮蔽システムの構成を説明する。なお、図１は本発明の実施形態に係る遮蔽体1の平面と断面図である。
【００２０】
本考案の遮蔽体1は、略半円形のシート２に、両端の開口を閉鎖した直線状のホース３を、前記シート２の外周縁の該略半円形部に屈曲させて取り付け、該ホース３の所定の箇所に設けられた流体導入口３１より流体を圧入する。
前記流体の圧力により順次膨らみ直線になる力が働いて前記シート２が展張して、前記所定の形状の遮蔽体１が形成される。
【００２１】
本発明の最大の特徴としては、前記シート２に略半円状に取り付けられている直線状のホース３が流体を圧入することにより直線状に戻ろうとする強い弾性復元力が発生し、この弾性復元力が該シート２の外径方向に働いて平面維持力の強い遮蔽体１が形成される。
前記シート２の素材は、柔軟性、耐候性、耐衝撃性に優れ、また、嵩少なに折畳める熱可塑性プラスチックフィルムや織布が適している。
一方、前期ホース３は内面に気体密封処理を施した織布、ゴム又は合成樹脂が適している。
【００２２】
図２では、この遮蔽体1を用いた遮蔽システム４の構成である。
空気等の流体を圧入する直線状のホース３からなる遮蔽体１と、前記ホース３に流体導入チューブ１２を介して連結された圧力計１０と、流体の切換え弁１１と、流体を制御する流体制御機器１２で、該流体制御機器の構成は流体圧入装置又は流体圧入・抜取り装置である。
【００２３】
図３は前記シート２の外周縁に設けられた直線状のホース３の形態別の断面図で、図３aは前記ホース３を半円形のシート２の外周に直接取り付けしたものであり、接着方法は使用するホースやシートの材質に適応した接着剤などが良い。
【００２４】
図３bは、前記シート２の外周縁の半円形の部分を内側に折り込んで中空の連通した袋体を設けるので、該織り込んだシートの接着法は縫製により強力に接合ができる。
これにより、袋体に挿入した直線状のホース３に強い圧力をかけることが可能となり、大きな張力を必要とする大型のテントやイベントの遊具などに適する方法である。
また、接着を縫製によらずに接着剤を使用する場合でも、シート同士になることからシート材質に最も適した接着剤を使用することができる。
【００２５】
図４は、略円形のシート２に直線状のホース３を全周に取り付けした遮蔽体１に柄５１を取り付けた簡易雨傘６で、図２aは展張した状態の平面図、図２bはb―b’で切断したときの断面図である。
従来の雨傘は中骨を芯にして親骨が開いてシートを張る構造であるが、本願発明の強い張力が得られる遮蔽体１を使用すれば、柄５１を該遮蔽体１のホース３に直接取り付けても雨傘の形体が崩れることはない。
【００２６】
このような雨傘であれば、使用する部材が少なく、構造が簡単であり、低価格で製作ができる。また、使用する人にとっても、他人に当たっても安全であり、重量も軽く、中心に人が入れるので遮蔽体１を小さくできる利点がある。
遮蔽体１と柄５１の結着方法は、面ファスナーが取り外しも簡単にでき、これにより遮蔽体１と柄５１をいろいろと換えて楽しむことや、遮蔽体１が使用不可になったときは使い捨てが簡単にできる。
台風等の風で使用不能になったビニール傘が駅等で捨てられ、駅員がビニールと金具との分離処理で苦労されているとのことだが、本願発明が普及すればプラスチック類の遮蔽体１を取り外して捨てるだけで済む。
また、遮蔽体１を展張するための流体制御機器１２等を、柄５１の中に組み込むなど利便性の向上が可能である。    
【００２７】
図５は大型の略円形の簡易テント７の事例で、
図５aは大型簡易テント７を展張したときの平面図、図５bは側面図である。
前記簡易テント７は略円形で、直線状のホース３が環状に取り付けられている。
該テント７を固定するため、シート中央に支柱５２と、ホース３の数箇所にロープ５３を取り付けているが、支柱５２の代わりに吊り具による方法でも良い。
先行事例２のように弾性棒状部材をリング状に連結する方法では、弾性棒状部材や連結具の保管を含め取り扱いが面倒で、重量もあり、高価で、特に大型化が難しい難点があった。
【００２８】
本願発明では、シート２の外周縁を内側に折り込んで中空の連通した袋体を設け、該袋体に挿入した直線状のホース３に圧入する流体に強い圧力をかけることが可能となり、大型のテントが簡単に低コストでできる。
【００２９】
図６は自動車用日除けテント８で、図６aはその平面図、図６bは側面図である。
従来の自動車カバーは、自動車本体を包み込むために屋根で熱せられた空気が放熱されず、車窓外で熱が対流しないために車内に蓄熱され、日除けテントとしての機能を持ち合わせ無かった。
仮に、そうした機能を有する自動車用の簡易日除けテントを製作するにしても、金属などの硬質支柱を使用しなければならず、重量、取り扱いが面倒の問題があった。
【００３０】
本願発明による自動車用日除けテント８は、自動車の上面一体を平坦に展張できるので、テントとボンネットの間に平面空間ができることから熱気の対流が起こり易く、高温になることを防ぐことが出来る。
遮蔽面積が広いために展張強度が弱いときは、ホース３の内側に同心の小楕円形状のホースを取り付けして補強ができる。また、構成材に金属などを使用しないので自動車を傷つけることがなく、取り扱いが簡単で、安価に製作できる。
【産業上の利用可能性】
【００３１】
遮蔽システムは、小さいものでは携帯型雨・日除け帽として、また、携帯型簡易雨傘として、また、自動車の日除けテントや大型の携帯型雨・日除けテント、そして遊具などその適用範囲は今後更に広がると確信しています。
【符号の説明】
【００３２】
１        遮蔽体  
２        シート
３        直線状のホース
３１      流体導入口
３２      流体導入チューブ
４        遮蔽システム
５１      柄
５２      支柱
５３      吊り具・紐・ロープ
６        簡易雨傘
７        簡易テント
８        自動車用日除けテント
１０      圧力計
１１      ストッパー・切り替え器
１２      流体制御機器(流体圧入機器又は流体流体圧入・排出機器)
【図１】
2014180494.tif 000003
【図２】
2014180494.tif 000004
【図３】
2014180494.tif 000005
【図４】
2014180494.tif 000006
【図５】
2014180494.tif 000007
【図６】
2014180494.tif 000008
【図７】
2014180494.tif 000009
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
少なくとも一辺が直線又は曲線、或いはその両方の形状を持つシートに、直線状のホースを前記シートの外周縁の一部または全周に屈曲させて取り付け、
該ホースの両端の開口を閉鎖して所定の箇所に流体導入口を設け、該流体導入口から流体が圧入されたときに、該流体の圧力により順次膨らみ直線になる力が働いて前記シートが展張して、前記所定の形状のシートが形成されることを特徴とする遮蔽体。
【請求項２】
少なくとも一辺が直線又は曲線、或いはその両方の形状を持つシートの外周縁の一部または全周を内側に折り込んで中空の連通した袋体を形成し、該袋体の中空に両端の開口を閉鎖して所定の箇所に流体導入口を設けた直線状のホースを屈曲するように挿入して、該ホースに流体が圧入されたときに、該流体の圧力により順次膨らみ直線になる力が働いて前記シートが展張して、前記所定の形状のシートが形成されることを特徴とする遮蔽体。
【請求項３】
前記ホースは、該ホースの所定の箇所に設けられた流体導入口に直接、又は、流体導入口に流体導入チューブを介して、切換え弁が設置してあることを特徴とする請求項１又は２のいずれかに記載の遮蔽体。
【請求項４】
請求項３の遮蔽体を用い、前記ホースに取り付けられている前記切換え弁を介して、流体を圧入する流体圧入装置、又は流体圧入・抜取り装置が連結されていることを特徴とする遮蔽システム。
【請求項５】
前記ホースの前記所定の箇所に設けられた流体導入口の付近、又は前記流体導入口と前記流体圧入装置との間に、圧力計が連結されていることを特徴とする請求項４に記載の遮蔽システム。
【手続補正２】
【補正対象書類名】明細書
【補正対象項目名】００１０
【補正方法】変更
【補正の内容】
【００１０】
本発明の第２の態様の遮蔽体は、少なくとも一辺が直線又は曲線、或いはその両方の形状を持つシートの外周縁の一部または全周を内側に折り込んで中空の連通した袋体を形成し、該袋体の中空に両端の開口を閉鎖して所定の箇所に流体導入口を設けた直線状のホースを屈曲するように挿入して、該ホースに流体が圧入されたときに、該流体の圧力により順次膨らみ直線になる力が働いて前記シートが展張して、前記所定の形状のシートが形成されることを特徴とする。
【手続補正３】
【補正対象書類名】明細書
【補正対象項目名】００１２
【補正方法】変更
【補正の内容】
【００１２】
本発明の第４の態様の前記遮蔽体を用いた遮蔽システムは、前記態様の第３の遮蔽体を用い、前記ホースに取り付けられている前記切換え弁を介して、流体を圧入する流体圧入装置、又は流体圧入・抜取り装置が連結されていることを特徴とする。